(57)【要約】  【課題】  従来例と同様のトルクが得られ、従って、機能が劣化することなく、従来例と較べ、構造的に小形なハンドルヘッドを備えたラチェットレンチハンドルを提供する。  【解決手段】  周側にラチェット歯６，…を、下面にアダプター接続用の角軸５を設けて回転体３を構成する。該回転体３を操作ハンドル１先端のハンドルヘッド１ａに設けた収納室２の先端部側に収納して、前記ハンドルヘッド１ａに回転自在に支持させる。また、前記ラチェット歯６に該ラチェット歯６と同心円上に位置して係合する複数個の正転用作動爪１２と複数個の逆転用作動爪１３を作動片９の先端面に対称的に設ける。そして、作動片９を、前記回転体３に隣接させて前記収納室に収納して揺動自在に軸支させる。更に、該作動片９の両側には、前記正、逆の各作動爪１２，１３が前記ラチェット歯６側から荷重を受けたとき、前記収納室２の内縁に設けた受圧縁部１８に圧接する接触縁部１７を設ける。【選択図】    図１
2011062791.tif 000002
【特許請求の範囲】
【請求項１】
周側にラチェット歯を、下面に角軸等のアダプター接続部を設けて回転体を構成し、該回転体を操作ハンドル先端のハンドルヘッドに設けた収納室の先端部側に収納して、前記ハンドルヘッドに回転自在に支持させ、前記ラチェット歯に該ラチェット歯と同心円上に位置して係合する複数個の正転用作動爪と複数個の逆転用作動爪を対称的に先端面に設けた作動片を、前記回転体に隣接させて前記収納部に収納して揺動自在に軸支させると共に、該作動片の両側には、前記正、逆の各作動爪が前記ラチェット歯から荷重を受けたとき、前記収納室の内縁に設けた受圧縁部に圧接する接触縁部を設けた、ラチェットレンチハンドル。
【請求項２】
収納室の、作動片の後端側に、外部から回転操作可能に切換え駒を収納し、該切換え駒にコイルばねに付勢されて突出する押しピンを係合し、該押しピンの先端を前記作動片の後端面に設けた作動爪切換え用のカム縁に圧接させた、請求項１記載のラチェットレンチハンドル。
【請求項３】
収納室の内縁に山形状の突出縁を設けて受圧縁部を形成し、作動片の両側には前記突出縁に一致する山形状の凹入縁を設けて接触縁部を設けた、請求項１又は２記載のラチェットレンチハンドル。
【発明の詳細な説明】
【技術分野】
【０００１】
本発明は、ハンドルヘッドに設けた回転体にボルトやナットなどの回転工具であるアダプターを係合組付け、例えば、ボルトの締付けを、該アダプターに頭部を係合して、一定範囲の回転操作によって行うラチェットレンチハンドルに関するものである。
【背景技術】
【０００２】
連続させたラチェット歯を外周に設け、角軸にアダプターを組付けるようにした回転体を、操作ハンドル先端のハンドルヘッドに回転自在に支持させ、該回転体の前記ラチェット歯に係止する正転（締付け操作）用作動爪と逆転（緩め操作）用作動爪を切替え手段で切替えができるように備えた作動片を、前記ハンドルヘッドに軸で揺動自在に組付け、前記切替え手段を、作動片の後方において、前記操作ハンドルに設けたボールをコイルばねで押圧することにより、前記正逆の作動爪のラチェット歯に対する切替え係止状態を保持するように構成した構造のものがある（例えば、特許文献１）。
【先行技術文献】
【特許文献】
【０００３】
【特許文献１】特開２００４−３４５０１１号公報
【発明の概要】
【発明が解決しようとする課題】
【０００４】
製造コストの削減等の要求から、商品の小形化が商品開発のテーマの一つとなっているが、ラチェットレンチハンドルにおいても製品（殊に、ハンドルヘッド）の小形化が希求されている。前記従来構造のものは、コイルばねで押圧されたボールによる作動片に対する押圧方向を切替えることによって、正、逆の作動爪が選択されてラチェット歯に係止するのであるが、該正、逆の作動爪は単一で成るもので、これがラチェット歯に係止してトルクがかかるようにしてあるため、ラチェット歯が小さいと、作動爪側からのトルクが掛かりすぎて容易に破損し、一定以上のトルクを得るためにはラチェット歯を相応の大きさのもの、すなわち、回転体の大きさを小さくできず、ある程度以上のものにすることが必要で、ハンドルヘッドの小形化は難しい構造となっている。
【０００５】
本発明は、従来と同様のトルクが得られ、従って、機能が劣化することがなく、従来例と較べ、構造的に小形なハンドルヘッドを備えたラチェットレンチハンドルを提供することを目的として創案したものである。
【課題を解決するための手段】
【０００６】
周側にラチェット歯を、下面に角軸や非円形凹入部等のアダプター接続部を設けて回転体を構成し、該回転体を操作ハンドル先端のハンドルヘッドに設けた収納室の先端部側に収納して、前記ハンドルヘッドに回転自在に支持させ、前記ラチェット歯に該ラチェット歯と同心円上に位置して係合する複数個の正転用作動爪と複数個の逆転用作動爪を対称的に先端面に設けた作動片を、前記回転体に隣接させて前記収納部に収納して揺動自在に軸支させると共に、該作動片の両側には、前記正、逆の各作動爪が前記ラチェット歯から荷重を受けたとき、前記収納室の内縁に設けた受圧縁部に圧接する接触縁部を設けたことを基本的手段とする。
【０００７】
なお、この基本的手段に、収納室の作動片の後端側に、外部から回転操作可能に切換え駒を収納し、該切換え駒にコイルばねに付勢されて突出する押しピンを係合し、該押しピンの先端を前記作動片の後端面に設けた作動爪切換え用のカム縁に圧接させた点を付加することにより、作動爪とラチェット歯の係合状態を確実に維持した、すなわち、操作方向（正転と逆転）が不測に変更することなく、作動爪とラチェット歯が係合し合い、当該設定状態を確実に保つことのできるラチェットレンチハンドルを提供でき、また、収納室の内縁に山形状の突出縁を設けて受圧縁部を形成し、作動片の両側には前記突出縁に一致する山形状の凹入縁を設けて接触縁部を設けた点を付加することにより、接触縁部と受圧縁が面接触することによりトルクによる損傷をできるだけ防いだ耐久的な製品を提供できる。
【発明の効果】
【０００８】
本発明は、回転体の正転時（例えば、ボルト締め付け時）に、複数個の正転用作動爪がラチェット歯に、逆転時（例えば、ボルトを緩める時）に複数個の逆転用作動爪がラチェット歯に係止し、しかも、作動片側の接触縁部とハンドルヘッド側の受圧縁部の係合関係によって、回転時に、ラチェット歯と作動歯の係合状態を維持して、複数個の作動爪によって回転体にトルクを掛けることができ、使用上好適なラチェットレンチハンドルを提供できる。しかも、複数個の作動爪によってトルクを掛けるものであるから、トルクは個数に応じて分散し、ラチェット歯を小さくできる、すなわち、回転体の径を小さくすることができ、従って、該回転体を納めるハンドルヘッドを小形化したラチェットレンチハンドルを提供できる。
【図面の簡単な説明】
【０００９】
【図１】一部欠截正面図。
【図２】図１のａ−ａ線断面図。
【図３】分解断面図。
【実施例】
【００１０】
実施例のラチェットレンチハンドルＡは、操作ハンドル１の先端に設けたハンドルヘッド１ａ（なお、後記の通り、ハンドルヘッド１ａはハンドルヘッド構成材１ａ´と蓋板２´´ａを組付けボルト１０で組付けて構成してある。）に、ヘッド１ａの上面又は下面側から見て円形状の第一収納部２Ａ、ほぼ８の字状の第二収納部２Ｂおよび小円形状の第三収納部２Ｃを、一部を重ね合わせるようにヘッド１ａの先端側から後端側方向に順次並べて構成した形状の収納室２を設け、該収納室２の第一収納部２Ａは、ヘッド１ａの上面と下面を開口２ａ´，２ａ´´して外部に連通させ、該第一収納部２Ａに回転体３を回転自在に支持させてある。
【００１１】
回転体３は、周側にラチェット歯６を連続させて設け、上下両面に平面視円形状の段部４，４´を設け、その段部４，４´の一方の軸線上にアダプターｔを組付ける角軸５を突設して構成し、前記ラチェット歯６を前記第一収納部２Ａに納めるようにして段部４，４´を、前記開口２ａ´，２ａ´´に係合させてハンドルヘッド１ａの収納室２の一側の第一収納部２Ａに回転自在に支持させてある。
【００１２】
なお、角軸５にコイルばね７によって突出方向に付勢させた球体８を設け、該球体８を利用してアダプターｔを着脱自在に取り付けられるようになっている（公知事項）。
【００１３】
前記第一収納部２Ａに連通して前記収納室２を構成する第二収納部２Ｂには、作動片９を収納し、作動片９は、収納室２の下壁２´´を構成する蓋板２´´ａを、上壁２´（収納室２の）に締付ける組付けボルト１０で揺動自在に軸支してある。
【００１４】
なお、１１は組付けボルト１０を貫通させて前記上、下壁２´，２´´間に配したカラーで、カラー１１の存在によって、組付けボルト１０を軸とする作動片９の揺動は、支障なく円滑に行われる。
【００１５】
また、前記作動片９は、前記回転体３側の先端面の一側に、該回転体３に設けたラチェット歯６と同心円上に位置して係合する複数個の正転用作動爪１２，…を、他側に、同じく、回転体３のラチェット歯６と同心円上に位置して係合する複数個の逆転用作動爪１３，…を、それぞれ前記組付けボルト１０を通る仮想直線を対称軸として対称的に設け、正転用作動爪１２がラチェット歯６に係合したときは、逆転用作動爪１３は該ラチェット歯６から離れ、逆転用作動爪１３がラチェット歯６に係合したときは、正転用作動爪１２が離れる関係にしてあり、ラチェット歯６に対して正逆の作動爪１２，１３のいずれを選択するかは、作動片９を納めた前記第二収納部２Ｂに隣接して連通する、小円形状の前記第三収納部２Ｃに収納した切換え駒１４で行い、該切換え駒１４の押しピン１５が接離する、凹入円弧状のカム縁１６を前記作動片９の前記先端面に対応する後端面中央に設けてある。
【００１６】
作動片９の前記先後の端面間に相対して介在する両側面には、山形状の凹入縁（凹入段部）１７´を設けて、作動片９の前記先端面側の一側を接触縁部１７とし、該接触縁部１７が係合して、作動片９側からの押圧を受ける受圧縁部１８を、前記第二収納部２ｂの相対する内縁（収納室２の内縁）に設けた山形状の突出縁１８´を設けて、その一側側で構成してある。
【００１７】
第二収納部２Ｂに連通する、平面視小円形の前記第三収納部２Ｃには、前記切換え駒１４を、前記上壁２´を開口して設けた挿入口２ｃ´´を通じて前記作動片９に設けた突部片１９に切欠２０を係合させるようにして組合わせて、揺動自在に収納してある。
【００１８】
切換え駒１４は、平面視円形の前記第三収納部２Ｃに係合する円柱状の主体部２１の一端に操作レバー２２を、主体部２１の径方向に突出させて設けると共に、該操作レバー２２側に前記切欠２０を設けた主体部２１の周側に支持穴２３を設け、該支持穴２３にコイルばね２４を介して前記押しピン１５を出入自在に係合し、コイルばね２４の押圧によって押しピン１５の丸い先端が作動片９の前記カム縁１６の一端縁又は他端縁に圧接し、作動片９の切換え操作が行われ、正転用作動爪１２と逆転用作動爪１３のいずれかのラチェット歯６との係合状態を保持する。
【００１９】
そして、操作ハンドル１の、ハンドルヘッド１ａを構成するハンドルヘッド構成材１ａ´に設けた前記第一収納部２Ａに対応する部分２Ａ´に回転体３を、第二収納部２Ｂに対応する部分２Ｂ´に切換え駒１４と、突部片１９と切欠２０の係合関係により組合わせた作動片９（カラー１１を係合して）を、第三収納部２Ｃに対応する部分２Ｃ´に前記切換え駒１４をそれぞれ係合して、蓋板２´´ａを、これらを介在させて収納室２の下壁２´´に対向させて配置し、上壁２´の透孔２６を通じて組付けボルト１０をカラー１１に貫通させ、カラー１１より突出する組付けボルト１０の先端を前記蓋板２´´ａに設けたねじ孔２５に螺合、締付けることによって実施例のラチェットレンチハンドルＡは組立てられる。
【００２０】
図１は、切換え駒１４を操作して、該切換え駒１４の押しピン１５の先端を、作動片９のカム縁１６の一端縁にコイルばね２４の付勢を利用して押し当てて、作動片９の正転用作動爪１２を回転体３のラチェット歯６に係合させた状態を示すが、この状態のまま角軸５に嵌め込んで組付けたアダプターｔを、例えば、ボルト頭部に嵌め込んで操作ハンドル１を図示実線で示す矢印ｘ方向に前記ボルト頭部を中心に回すと、作動爪１２はラチェット歯６を押圧し、回転体３を反時計廻り方向に回転させ、回転体３の角軸５に嵌めたアダプターｔを係合したボルト頭部は締め付けられ、適宜の角度に回転させた後、ラチェット機構を利用して作動爪１２に対してラチェット歯６を空転させるようにして操作ハンドル１を時計廻り方向に回転させて原位置に復帰させ、再び反時計廻り方向に回転させてボルト頭部の締付け操作を行うことによって、ボルト頭部の締付け操作が行われる。
【００２１】
作動爪１２に対するラチェット歯６の前記空転時にラチェット歯６は作動爪１２を押圧し、該作動爪１２を備えた作動片９は揺動軸である組付けボルト１０を中心に揺動して正転用作動爪１２に代って逆転用作動爪１３がラチェット歯６に係合しようとするが、組付けボルト１０と別軸で回転する切換駒１４に備え、しかも、コイルばね２４で押圧された押しピン１５が作動爪１２側に対応する、カム縁１６の一側縁を押圧しているので、逆転用作動爪１３が正転用作動爪１２に代ってラチェット歯６に係合することはない。
【００２２】
そして、切換え駒１４を切換えて、押しピン１５の先端をカム縁１６の他の一端側に圧接させて正転用作動爪１２に代えて逆転用作動爪１３をラチェット歯６に係合させるようにして、図示点線で示す矢印ｙ方向に操作ハンドル１を回転すると、ボルト頭部は締付け状態から緩められ、操作ハンドル１の時計廻り方向の回転操作と反時計廻り方向の回転操作の繰り返しにより前記ボルト頭部緩め操作が行われる。
【００２３】
なお、切換え駒１４の回転軸、作動片９の揺動軸および回転体３の回転軸は操作ハンドル１の軸線上に配してある。また、回転体のアダプター係合部は実施例の角軸に代えて、非円形凹入部でも本発明の実施に不都合はない。
【符号の説明】
【００２４】
１      操作ハンドル
１ａ    ハンドルヘッド
２      収納室
３      回転体
５      角軸
６      ラチェット歯
９      作動片
１２    正転用作動爪
１３    逆転用作動爪
１７    接触縁部
１８    受圧縁部
【図１】
2011062791.tif 000003
【図２】
2011062791.tif 000004
【図３】
2011062791.tif 000005